(57)【要約】【課題】液圧発生装置を必要とせず、汎用プレス機の順送金型やトランスファ金型に組み込むことができる液圧拡管成形機を提供する。【解決手段】上型１が下降を開始し、上型ノックアウト２の油注入孔１０がワーク６の上端を通過すると、油供給ユニット２０が油の供給を開始し、上型ノックアウト２の油注入孔１０からワーク６内に油が供給される。そして、上型ノックアウト２の油注入孔１０が上型１内に入ったタイミングで油供給ユニット２０が油の供給を停止するとともに、上型ノックアウト２が上型１に沈み込むことにより油注入孔１０が塞がり、シールされる。この後、さらに上型１が下降すると、上型１の下降によりワーク６内に閉じ込められた油１３が圧縮されて外に向かってワーク６を膨らませ、ワーク６の拡管成形が行われる。【選択図】図３
2011083785.tif 000002
【特許請求の範囲】
【請求項１】
上型ノックアウトと、前記上型ノックアウトを下方に付勢するスプリングとを備えた上型と、ワークを保持する下型とからなる液圧拡管成形機であって、
前記上型ノックアウト内にワーク内に液体を注入する液路を設けるとともに、前記上型にワークが侵入する通路を設け、前記上型の下降時に下型に保持されているワーク内に前記液路を介して液体を供給し、供給された液体を前記上型と前記下型で圧縮することにより、液体の圧力でワークを拡管することを特徴とする液圧拡管成形機。
【発明の詳細な説明】
【技術分野】
【０００１】
本発明は、液圧拡管成形機、すなわち、管の内部に入れた水、油などの液体に圧力をかけて管状の被加工部材の中間部を膨らませることにより拡管成形を行う液圧拡管成形機に関する。
【背景技術】
【０００２】
自動車などの輸送用機器では燃費向上を目的とし軽量化が強く望まれている。特に駆動軸部品では、ねじり荷重が支配的であり、軸中心部には大きな応力が発生しないことから、中実材ではなく中空パイプから希望する形状に成形すること、例えば拡管成形が行われている。しかしながら、パイプに軸方向の力を加えることにより拡管しようとすると、座屈あるいは減肉、割れの不具合が生じ、困難である。
【０００３】
この問題を解決する成形方法として、チューブ・ハイドロフォーミング（ＴＨＦ）がある。これは、パイプ内部に気体や液体を満たし、これに荷重を加えることによりパイプ内部表面から外側に圧力を加えた状態で成形することにより、座屈・減肉・割れなどの成形不具合を生じさせない方法である。
【０００４】
図６は、上記のチューブ・ハイドロフォーミング法を用いた従来の液圧拡管成形機の一例である。図に示すように、ワーク２１の膨らます部分以外の部分をガイド２２、２３と芯金２４によりシールした後、油圧ポンプ２６を駆動し、ガイド２２と芯金２４の中央に形成された油路２５に高圧の油を注入すると、芯金２４の中央の油注入穴２７から高圧の油がワーク２１と芯金２４との間に注入される。これにより、図６（ｂ）に示すように、ワーク２１と芯金２４との間に油２８が溜まり、油の圧力によってワーク２１が外に向かって膨らみ、拡管成形が行われる。
【０００５】
一方、被加工物に対して絞り加工、トリミング加工、孔明け加工等の複数の加工工程を順次実行する装置としてトランスファプレスが良く知られている。このようなトランスファプレスは、各プレス位置で成形されるワークを、金型の昇降動作に同期させて次のプレス位置へ順次搬送させながらプレス作業を行うようになっている（例えば、特許文献１参照）。
【先行技術文献】
【特許文献】
【０００６】
【特許文献１】特開平１０−３１４８７４号公報
【発明の概要】
【発明が解決しようとする課題】
【０００７】
上記のように、従来の液圧拡管成形機は、ワークの膨らます部分以外の部分をガイドと芯金によりシールした後、油圧ポンプから高圧の油を注入する必要があり、拡管成形を行う場合には、専用機にワークをセットしなければならず、上記のようなトランスファプレスに組み込むことができかったので、ワークの加工速度が遅くなるという問題があった、
また、従来の液圧拡管成形機は高圧力を発生させるために、油圧ポンプを必要とするので、装置が高価になるという問題もあった。
【０００８】
本発明は、上記の問題に鑑みてなされたもので、液圧発生装置を必要とせず、汎用プレス機の順送金型やトランスファ金型に組み込むことができる液圧拡管成形機を提供することを目的とする。
【課題を解決するための手段】
【０００９】
請求項１に係る発明の液圧拡管成形機は、上型ノックアウトと、前記上型ノックアウトを下方に付勢するスプリングとを備えた上型と、ワークを保持する下型とからなる液圧拡管成形機であって、前記上型ノックアウト内にワーク内に液体を注入する液路を設けるとともに、前記上型にワークが侵入する通路を設け、前記上型の下降時に下型に保持されているワーク内に前記液路を介して液体を供給し、供給された液体を前記上型と前記下型で圧縮することにより、液体の圧力でワークを拡管することを特徴とする。
【発明の効果】
【００１０】
請求項１に係る発明の液圧拡管成形機によれば、液体を媒介としてプレス機のような上下運動によって高圧力を発生することができるので、油圧発生装置等を必要とすることなく、拡管成形を行うことができる。また、請求項１に係る発明の液圧拡管成形機によれば、拡管成形機を汎用プレス機の順送金型やトランスファ金型に組み込むことができ、専用機を必要としないので、プレス成形との一貫生産が可能となり、同一工程の中で完結できるので、ワーク加工のスピードアップを図ることができる。
【００１１】
なお、下型に下型ノックアウトを設ければ、拡管成形後ワークを容易に下型から離すことができ、また、上型に設けられたワークが侵入する通路の上部にシール材を設ければ、液の加圧時の液体の漏れを防止することができ、拡管成形のための高い圧力を得ることができる。
【図面の簡単な説明】
【００１２】
【図１】本発明の液圧拡管成形機がプレス上死点にある状態を示す図である。
【図２】図１の液圧拡管成形機のプレス下降途中の状態を示す図である。
【図３】図１の液圧拡管成形機がプレス下死点にある状態を示す図である。
【図４】図１の液圧拡管成形機のプレス、油供給及び拡管形成のタイミングを示す図である。
【図５】本発明の液圧拡管成形機を組み込んだトランスファプレスによる加工工程の一例である。
【図６】従来の液圧拡管成形機の構造を示す図である。
【実施例】
【００１３】
以下、本発明の液圧拡管成形機の実施例について説明する。
図１は、本発明の液圧拡管成形機がプレス上死点にある状態を示す図であり、この液圧拡管成形機は、上型１、上型ノックアウト２、スプリング３、下型４、下型ノックアウト５により構成されている。
上型ノックアウト２は上型１に形成された孔内を移動可能に設けられており、スプリング３は上型ノックアウト２を下方に付勢している。下型４にはワーク６を保持するワーク保持部７が形成されており、下型ノックアウト５は、ワーク６の拡管成形後に上昇することによってワーク６を下型４から押し出す。
【００１４】
一方、上型ノックアウト２内には油路８が形成されており、この油路８に連通した油路９が油供給ユニット２０に連結されている。油供給ユニット２０から供給された油は油路９を介して上型ノックアウト２内の油路８に供給され、油注入孔１０からワーク６内に流出する。また、上型１の下方にワーク６の先端部分が侵入するワーク通路１１が形成されており、このワーク通路１１の上端にシール材１２が挿入されている。
【００１５】
次に、図１の液圧拡管成形機によるパーティカルチューブハイドロフォーミングの作用について、図２、図３の状態図及び図４のプレスと油供給及び拡管形成のタイミング図を用いて説明する。
前工程で加工されたワーク６がフィンガー（図示せず）により挟み持たれて下型４の上部に搬送され、下型４のワーク保持部７に保持された後、上型１が下降を開始する。そして、図４に示すように、上型ノックアウト２の油注入孔１０がワーク６の上端を通過したタイミングで油供給ユニット２０が油の供給を開始する。これにより、図２に示すように、上型ノックアウト２の油注入孔１０からワーク６内に油１３が供給される。
【００１６】
そして、上型１がさらに下降し、上型ノックアウト２がワーク６の底部に到達した状態になると、スプリング３が圧縮されることにより、上型１のみが下降する。そして、上型ノックアウト２の油注入孔１０が上型１内に入ったタイミングで油供給ユニット２０が油の供給を停止するとともに、上型ノックアウト２が上型１に沈み込むことにより油注入孔１０が塞がり、シールされる。
【００１７】
この後、さらに上型１が下降すると、上型１の下降によりワーク６内に閉じ込められた油１３が圧縮され、外に向かってワーク６を膨らませるので、ワーク６の拡管成形が行われる。このとき、上型１に設けられたワークが侵入する通路１１の上部にシール材１２が設けられているので、油の漏れを防止することができ、拡管成形のための高い圧力を得ることができる。
【００１８】
そして、図３に示すように上型１がプレス下死点の位置まで到達すると、拡管成形が終了し、上型１が上昇を開始する。
上型１の上昇後、下型ノックアウト５が上昇するので、この下型ノックアウト５の上昇によりワーク６が上昇し、このワーク６の上昇とともに、フィンガーが金型に近づく方向に移動してワーク６がフィンガーにより挟み込まれ、次工程に搬送される。
【００１９】
次に、本発明の液圧拡管成形機を組み込んだトランスファプレスによる加工工程の一例について、以下、説明する。
図５は、本発明の液圧拡管成形機を組み込んだトランスファプレスの各加工工程でのワークの形状を示す図であり、鋼板を円盤状に打ち抜くブランキング工程（１）、１次絞り工程（２）、２次絞り工程（３）、３次絞り工程（４）、４次絞り工程（５）により、ワークが円筒形状に成形された後、図１の液圧拡管成形機による拡管成形工程（６）によりワークが拡管成形される。
次に、油吸引工程（７）でワーク内の油が吸引された後、ツブシ工程（８）でワークの拡管部がつぶされることにより、張り出し量の大きい局所的な拡管部を有する円筒容器を製造することができる。
【００２０】
以上のように、油を媒介として上型の上下運動によって高圧力を発生することができるので、油圧発生装置等を必要とすることなく、拡管成形を行うことができる。また、この液圧拡管成形機は汎用プレス機の順送金型やトランスファ金型に組み込むことができ、専用機を必要としないので、プレス成形との一貫生産が可能となり、ワーク加工のスピードアップを図ることができる。
【００２１】
なお、上記の実施例ではワークを加圧するため、油を使用したが水などの他の液体を使用することもできる。また、図５に示したトランスファプレスによる加工工程は一例であり、様々なトランスファプレス及び順送プレスに本発明の液圧拡管成形機を組み込むことが可能である。
【符号の説明】
【００２２】
１  上型
２  上型ノックアウト
３  スプリング
４  下型
５  下型ノックアウト
６  ワーク
７  ワーク保持部
８、９  油路
１０  油注入孔
１１  ワーク通路
１２  シール材
１３  油
２０  油供給ユニット
【図１】
2011083785.tif 000003
【図２】
2011083785.tif 000004
【図３】
2011083785.tif 000005
【図４】
2011083785.tif 000006
【図５】
2011083785.tif 000007
【図６】
2011083785.tif 000008